(57)【特許請求の範囲】
【請求項１】
単独でカウンターとして使用可能な高さが低いローキャビネットを、上下に２個重ねてハイキャビネットとし、壁面収納庫を構築可能なキャビネット装置において、天板、両側板、背板及び底板を少なくとも有するキャビネット本体の底部に設けた取付部に、巾木部材を取付けて前記ローキャビネットを形成し、下方のキャビネット本体の天板の上に、上方のキャビネット本体の天板を重ねて連結するとともに、下方のキャビネット本体の取付部に巾木部材を取付け且つ上方のキャビネット本体の取付部に笠木部材を取付けて前記ハイキャビネットを形成することを特徴とするキャビネット装置。
【請求項２】
前記キャビネット本体の前面開口に開き戸を設け、該開き戸の把手を天板近傍に配置し、前記ハイキャビネットを構築した際に、上下のキャビネット本体に設けた開き戸の把手が接近して位置する請求項１記載のキャビネット装置。
【請求項３】
前記巾木部材と笠木部材は、垂直な化粧板の背面に水平に取付板が延びた構造であり、該取付板を用いて前記キャビネット本体の取付部に着脱可能に取付けてなる請求項１又は２記載のキャビネット装置。
【請求項４】
前記キャビネット本体の開き戸と背板の高さを同一に設定し、前記開き戸と背板の下方に同一の巾木部材を取付け又は前記開き戸と背板の上方に同一の笠木部材を取付けてなる請求項３記載のキャビネット装置。
【請求項５】
前記キャビネット本体は、前記底板よりも両側板が下方に突出し、該両側板が床面に接触して荷重を受けることが可能であり、そして両側板間に挿入した前記取付板を前記底板に重ねて取付けてなる請求項３又は４記載のキャビネット装置。
【発明の詳細な説明】
【技術分野】
【０００１】
本発明は、キャビネット装置に係わり、更に詳しくはローキャビネットやハイキャビネットとして使用可能なキャビネット装置に関するものである。
【背景技術】
【０００２】
従来から、複数のローキャビネットを横方向に並べて設置し、カウンターとして使用したり、通路やミーティングスペースを区画して使用することは公知である。また、複数のキャビネットを上下に重ねてハイキャビネットとし、床面から天井までを塞いで壁面収納庫とすることも公知である。更に、隣合わせ又は上下積層した両キャビネットを表裏反転させて設置し、両面からの利用を可能とすることも公知である。
【０００３】
例えば、特許文献１には、高さと横幅が基本単位の整数倍の寸法を有する複数種のキャビネットユニットを上下左右に組み合わせるとともに、該キャビネットユニットに対応した寸法を有するベースユニット、笠木ユニット、必要に応じて化粧天板ユニットを組み合わせてなる壁面収納キャビネットであって、各キャビネットユニットの上面に、上段のキャビネットユニット、笠木ユニット又は化粧天板ユニットを連結するための半パンチ孔を形成し、両側面に側方のキャビネットユニットを連結するための半パンチ孔を形成し、下面に前記ベースユニット又は下段のキャビネットユニットを連結するための通孔を形成した壁面収納キャビネットが開示されている。
【０００４】
また、特許文献２には、天井と床面間に設置して壁面若しくは間仕切壁として機能する収納間仕切家具の支持装置であって、前記収納間仕切家具の本体収納部の天板と略同一幅で所定厚さを有する天井補強板を、前記収納間仕切家具の設置ラインに沿って天井に固定し、該天井補強板の下方に間隙を設けて本体収納部の天板を配設し、前記間隙の前後からそれぞれ笠木化粧材の裏面から延びた支持板を差し入れて、前記天板の上面前後縁に該天板の下面から貫通した締付ネジにて水平移動不能に取付け、前後の両笠木化粧材の裏面間に前記天井補強板の前後端面を位置させた収納間仕切家具の支持装置が開示されている。ここで、前記本体収納部の天板の前後縁に沿ってそれぞれ複数の貫通孔を形成し、前記笠木化粧材の裏面から延びた水平な支持板に該貫通孔に内嵌するナット部を固定し、前記貫通孔の下方から挿入した前記締付ネジを前記ナット部に螺合貫通して、その上端を前記天井補強板の下面に圧接している。
【０００５】
しかし、特許文献１，２に記載のキャビネットは、上下に複数重ねる際にもキャビネット本体の天地関係を維持したまま、下段のキャビネット本体の天板に上段のキャビネット本体の底板を重ねて連結する構造であり、各キャビネット本体に開き戸を設けている場合、下段のキャビネットの開き戸には把手を上部に設け、上段のキャビネットの開き戸には把手を手の届く下部位置に設ける必要があり、下段用と上段用のキャビネットの構造が異なることになる。そのため、カウンター等の背の低い間仕切り兼収納庫（ローキャビネット）を構築する場合には、下段用のキャビネットのみを用い、一方、ハイキャビネットを構築する場合には、下段用と上段用の少なくとも二種類のキャビネットを用いる必要があり、構築する前に仕様を決定し、決定後は変更できなかった。
【先行技術文献】
【特許文献】
【０００６】
【特許文献１】特開平１１−１５５６６４号公報
【特許文献２】特開２００７−１７５３３８号公報
【発明の概要】
【発明が解決しようとする課題】
【０００７】
そこで、本発明が前述の状況に鑑み、解決しようとするところは、下段用と上段用の区別なくキャビネット本体を共用し、部品点数を少なくしてコスト削減を図るとともに、構築の際の自由度を高め、該キャビネット本体に巾木部材や笠木部材を取付けることでローキャビネットやハイキャビネットを構築することが可能なキャビネット装置を提供する点にある。
【課題を解決するための手段】
【０００８】
本発明は、前述の課題解決のために、単独でカウンターとして使用可能な高さが低いローキャビネットを、上下に２個重ねてハイキャビネットとし、壁面収納庫を構築可能なキャビネット装置において、天板、両側板、背板及び底板を少なくとも有するキャビネット本体の底部に設けた取付部に、巾木部材を取付けて前記ローキャビネットを形成し、下方のキャビネット本体の天板の上に、上方のキャビネット本体の天板を重ねて連結するとともに、下方のキャビネット本体の取付部に巾木部材を取付け且つ上方のキャビネット本体の取付部に笠木部材を取付けて前記ハイキャビネットを形成することを特徴とするキャビネット装置を構成した（請求項１）。
【０００９】
ここで、前記キャビネット本体の前面開口に開き戸を設け、該開き戸の把手を天板近傍に配置し、前記ハイキャビネットを構築した際に、上下のキャビネット本体に設けた開き戸の把手が接近して位置することがより好ましい（請求項２）。
【００１０】
また、前記巾木部材と笠木部材は、垂直な化粧板の背面に水平に取付板が延びた構造であり、該取付板を用いて前記キャビネット本体の取付部に着脱可能に取付けてなることも好ましい（請求項３）。
【００１１】
そして、前記キャビネット本体の開き戸と背板の高さを同一に設定し、前記開き戸と背板の下方に同一の巾木部材を取付け又は前記開き戸と背板の上方に同一の笠木部材を取付けてなることがより好ましい（請求項４）。
【００１２】
また、前記キャビネット本体は、前記底板よりも両側板が下方に突出し、該両側板が床面に接触して荷重を受けることが可能であり、そして両側板間に挿入した前記取付板を前記底板に重ねて取付けてなることも好ましい（請求項５）。
【発明の効果】
【００１３】
以上にしてなる請求項１に係る発明のキャビネット装置は、単独でカウンターとして使用可能な高さが低いローキャビネットを、上下に２個重ねてハイキャビネットとし、壁面収納庫を構築可能なキャビネット装置において、天板、両側板、背板及び底板を少なくとも有するキャビネット本体の底部に設けた取付部に、巾木部材を取付けて前記ローキャビネットを形成し、下方のキャビネット本体の天板の上に、上方のキャビネット本体の天板を重ねて連結するとともに、下方のキャビネット本体の取付部に巾木部材を取付け且つ上方のキャビネット本体の取付部に笠木部材を取付けて前記ハイキャビネットを形成するので、共通のキャビネット本体を用いてローキャビネットやハイキャビネットを形成することができ、特にハイキャビネットを構築する際には、上段に位置するキャビネット本体を天地逆さにし、下段のキャビネット本体の天板と上段のキャビネット本体の天板同士を直接重ねて連結し、下段のキャビネット本体の取付部に巾木部材を取付け、上段のキャビネット本体の取付部に笠木部材を取付けることができ、取付部も共用することができ、コスト削減と構築の自由度を高めることができる。
【００１４】
請求項２によれば、前記キャビネット本体の前面開口に開き戸を設け、該開き戸の把手を天板近傍に配置し、前記ハイキャビネットを構築した際に、上下のキャビネット本体に設けた開き戸の把手が接近して位置するので、開き戸付のキャビネット本体を下段と上段とで共用するにも係わらず、開き戸付のキャビネット本体を上下に重ねて連結した場合、上段のキャビネット本体は天地逆さになるので、上段のキャビネット本体の開き戸の把手が自動的に手の届く高さになり、使用勝手が良くなるのである。
【００１５】
請求項３によれば、前記巾木部材と笠木部材は、垂直な化粧板の背面に水平に取付板が延びた構造であり、該取付板を用いて前記キャビネット本体の取付部に着脱可能に取付けてなるので、キャビネット本体の底部に設けた共通の取付部を用いて、巾木部材と笠木部材を選択的に取付けることができる。
【００１６】
請求項４によれば、前記キャビネット本体の開き戸と背板の高さを同一に設定し、前記開き戸と背板の下方に同一の巾木部材を取付け又は前記開き戸と背板の上方に同一の笠木部材を取付けてなるので、複数のキャビネット本体を表裏反転させて側方へ並べて設置した際に、巾木又は笠木のライン高さが同一になるので見栄えが良くなる。
【００１７】
請求項５によれば、前記キャビネット本体は、前記底板よりも両側板が下方に突出し、該両側板が床面に接触して荷重を受けることが可能であり、そして両側板間に挿入した前記取付板を前記底板に重ねて取付けてなるので、キャビネット本体を床面の所定位置に設置した状態で、最後に巾木部材や笠木部材を取付部に取付けることができるので、施工性が良くなる。
【図面の簡単な説明】
【００１８】
【図１】本発明のキャビネット装置に用いるローキャビネットの斜視図である。
【図２】二つのローキャビネットを互いに表裏反転させて側方に並べて設置したカウンター態様の斜視図である。
【図３】二つのローキャビネットを上下に重ねて連結したハイキャビネット態様の斜視図である。
【図４】ローキャビネットを示し、（ａ）は平面図、（ｂ）は正面図である。
【図５】ローキャビネットの縦断面図である。
【図６】ハイキャビネット態様の縦断面図である。
【図７】巾木部材の取付構造を示す拡大断面図である。
【図８】笠木部材の取付構造を示す拡大断面図である。
【図９】ハイキャビネット態様で上下のキャビネット本体を互いに表裏反転させた状態を示す斜視図である。
【図１０】ハイキャビネット態様で側方へ複数並べて設置して壁面収納庫を構築した状態の斜視図である。
【発明を実施するための形態】
【００１９】
次に、添付図面に示した実施形態に基づき、本発明を更に詳細に説明する。図１〜図８は本発明に係るキャビネット装置の代表的実施形態を示し、図中符号１はキャビネット本体、２は開き戸、３は巾木部材、４は笠木部材をそれぞれ示している。
【００２０】
前記キャビネット本体１は、図１、図４及び図５に示すように、本実施形態では木製で形成し、少なくとも天板５、両側板６，６、背板７及び底板８を有する前面開口の箱体であり、底部に前記巾木部材３又は笠木部材４を取付けることが可能な共通の構造として取付部９を設けている。更に、前記キャビネット本体１は、前記底板８よりも両側板６，６が下方に突出し、該両側板６，６が床面に接触して荷重を受ける構造である。また、前記キャビネット本体１の前面開口に開き戸２，２を、両側板６，６にヒンジを用いて開閉可能に設けている。
【００２１】
そして、前記巾木部材３は、図７に示すように、垂直な化粧板１０の背面に水平に取付板１１が延びた構造であり、該取付板１１を底板８の下方で両側板６，６間に挿入し、前記底板８に重ねた状態で取付部９に着脱可能に取付ける。ここで、前記取付部９は、前記底板８の両側部に上下に貫通した貫通孔１２，１２を形成して構成し、該貫通孔１２に上方から挿入したネジ１３を、前記巾木部材３の取付板１１に埋設したオニメナット１４に螺合して取付けるのである。前記巾木部材３の化粧板１０の両端部は前記キャビネット本体１の側板６の端部を覆う位置まで延びている。
【００２２】
更に、前記キャビネット本体１の開き戸２と背板７の高さを同一に設定し、前記開き戸２と背板７の下方に同一の巾木部材３，３を取付けている。そして、前記キャビネット本体１の前面開口に設けた開き戸２，２には、天板５の近傍位置に把手１５，１５を設けている。図１及び図２に示すように、前記キャビネット本体１を床面に設置し、前記巾木部材３，３を前後面の下部に取付けてローキャビネットを形成した状態では、前記把手１５の高さ位置は、その前に立ったままあるいは膝を曲げた状態で、手で持って開閉するのに適している。
【００２３】
図２は、複数のキャビネット本体１，…を側方へ並べて設置し、互いに側板６，６同士を連結してカウンター態様を構築したものである。この場合、隣接するキャビネット本体１，１の表裏を逆転して連結することも可能であり、その場合でも巾木のライン高さが同一になるので見栄えが良くなる。勿論、キャビネット本体１に巾木部材３，３を取付けたローキャビネットは、単独でも使用可能である。この場合、ローキャビネットの背板７を壁面に接近して設置する場合には、該背板７の下方に巾木部材３を取付ける必要はない。
【００２４】
本発明のキャビネット装置は、図３及び図６に示すように、前記ローキャビネットを、上下に２個重ねてハイキャビネットとし、天板５，５同士を適宜な連結手段で連結し、壁面収納庫を構築可能である。詳しくは、下方のキャビネット本体１の天板５の上に、上方のキャビネット本体１の天板５を重ねて連結するとともに、下方のキャビネット本体１の取付部９に巾木部材３を取付け且つ上方のキャビネット本体１の取付部９に笠木部材４を取付けて前記ハイキャビネットを形成するのである。
【００２５】
ここで、前記笠木部材４は、図８に示すように、前記巾木部材３と同様な構造であり、垂直な化粧板１６の背面に水平な取付板１７を固定した構造であり、前記化粧板１６の高さは天井の高さに応じて使用できるように複数種類ある。前記笠木部材４の取付板１７の両側部には、下向きの力に耐えられるオニメナット１８を埋設している。
【００２６】
そして、ハイキャビネットを構築する場合、上段のキャビネット本体１は天地反転しており、前記底板８及び取付部９が最上部に位置して天井と対面している。前記キャビネット本体１を所定位置に設置した後、前面側から前記笠木部材４の取付板１７を上段の天地反転したキャビネット本体１の底板８の上方で両側板６，６間に挿入し、前記取付板１７を底板８の上面に重ね、化粧板１６の両端部を両側板６，６の端部に当接した状態で、該底板８に形成した貫通孔１２に下方から挿入した長尺の固定ネジ１９を前記取付板１７のオニメナット１８に螺合する。ここで、前記固定ネジ１９の頭部は、前記底板８の貫通孔１２を通過可能な大きさであり、該貫通孔１２に下方から挿入したドライバーで回転させて上方へ大きく突出させることが可能である。そして、天井に沿って設けた天固定板２０に前記固定ネジ１９の上端を圧接する。更に、前記天固定板２０の幅方向中央部に固定したブロック体２１に、前記底板８の下方から貫通させた木ネジ２２をねじ込んで固定する。
【００２７】
ここで、前記ハイキャビネットを構築した際に、上段のキャビネット本体１が天地反転し、天板５が最下端に位置するので、該天板５の近傍に設けた開き戸２の把手１５も下方位置になり、つまり上下のキャビネット本体１，１に設けた開き戸２の把手１５，１５が接近しているので、把手１５を持って開き戸２の開閉操作が容易になる。
【００２８】
前記ハイキャビネットの態様において、上下のキャビネット本体１，１の天板５，５同士を連結するには、図６に示すように、両天板５，５の同一位置に通孔２３，２３を形成し、上下からボルト・ナットによる締結手段２４で連結している。尚、前記天板５の通孔２３は、ローキャビネットとして使用する場合には不要であるので、ハイキャビネットを構築する際に現場施工で穿孔することが望ましい。それには、図５に示すように、天板５の下面側に半穴２５を形成しておくか、あるいは穿孔位置に目印を付しておく。半穴２５を形成した場合には、穴を塞ぐように合成樹脂製のキャップを嵌めておくことも好ましい。また、前記キャビネット本体１を側方へ並べて設置する場合、両側板６，６同士を連結する場合にも同様な連結手段を用いることができる。
【００２９】
更に、本実施形態では、キャビネット本体１の内部に複数段の棚板２６，２６を設けている。本発明の場合、前記キャビネット本体１を天地反転させて用いるので、前記棚板２６が両側板６，６に固定した構造ではそのまま天地反転させることが可能であるが、前記棚板２６が両側板６，６に突設したダボに載支する構造の場合にも、キャビネット本体１を天地反転させる前に棚板２６を外し、天地反転後に再度ダボに棚板２６を載支すれば良い。
【００３０】
図９は、ハイキャビネットの態様において、上下のキャビネット本体１，１を互いに表裏を逆転して連結した状態を示し、図１０には多数のキャビネット本体１，…を上下左右に配置して壁面収納庫を構築した状態を示している。図１０に示した壁面収納庫は、室内空間を仕切る区画壁としての機能も有し、表裏両面から利用できるように、図９と同様にキャビネット本体１の幾つかを表裏反転させて連結している。この場合も、上段のキャビネット本体１の前記開き戸２と背板７の上方に同一の笠木部材４，４を取付けると、笠木のライン高さが同一になるので見栄えが良くなる。勿論、壁面に沿って設置する場合は、全てのキャビネット本体１は正面を向けて設置する。
【００３１】
尚、キャビネットが金属製の場合には、前記オニメナットに代えて金属板に直接螺孔を形成し、あるいは金属板にナットを溶接して設ける。また、半穴２５は半パンチ穴とすることができる。
【符号の説明】
【００３２】
１  キャビネット本体、
２  開き戸、
３  巾木部材、
４  笠木部材、
５  天板、
６  側板、
７  背板、
８  底板、
９  取付部、
１０  化粧板、
１１  取付板、
１２  貫通孔（取付部）、
１３  ネジ、
１４  オニメナット、
１５  把手、
１６  化粧板、
１７  取付板、
１８  オニメナット、
１９  固定ネジ、
２０  天固定板、
２１  ブロック体、
２２  木ネジ、
２３  通孔、
２４  締結手段、
２５  半穴、
２６  棚板。
【図１】
0005532757.tif 000002
【図２】
0005532757.tif 000003
【図３】
0005532757.tif 000004
【図４】
0005532757.tif 000005
【図５】
0005532757.tif 000006
【図６】
0005532757.tif 000007
【図７】
0005532757.tif 000008
【図８】
0005532757.tif 000009
【図９】
0005532757.tif 000010
【図１０】
0005532757.tif 000011